(57)【要約】      （修正有）【課題】補強材の集中をなくし、施工性がよく、十分な耐久性を有するトラス構造またはアーチ構造の格点部補強構造を提供する。【解決手段】トラス構造又はアーチ構造の格点部３を構成する複数の構造部材の端面間に継手空間部４を確保し、前記継手空間部４内に前記複数の構造部材端面から補強部材を突出させ、前記継手空間４内に繊維補強コンクリート７を充填することを特徴とする格点部補強構造。【選択図】  図１
2004244989.tif 000002
【特許請求の範囲】
【請求項１】
トラス構造又はアーチ構造の格点部を形成する継手空間部内に複数の構造部材端面から補強部材を突出させ、前記継手空間内に繊維補強コンクリートを充填することを特徴とする格点部補強構造。
【請求項２】
前記複数の構造部材が、現場打ちコンクリート、ＰＣパイル、角形鋼管、円形鋼管、形鋼の中から選択される１つ或いは複数の組合せからなることを特徴とする請求項１に記載の格点部補強構造。
【請求項３】
前記繊維補強コンクリート中の繊維は、鋼繊維等の金属繊維、ビニロン繊維、ポリプロピレン繊維、ポリエチレン繊維、アラミド繊維、炭素繊維等の有機繊維のなかから選択される１つまたは複数の繊維の組合せからなることを特徴とする請求項１又は２に記載の格点部補強構造。
【発明の詳細な説明】
【０００１】
【発明の属する技術分野】
本発明は、建築・土木の技術分野におけるトラス構造又はアーチ構造の格点部補強構造に関する。
【０００２】
【従来の技術】
トラス構造の格点部、アーチ橋等のアーチ構造の格点部は、最近剛接合に近い接合であるため、曲げ、せん断、引張り、圧縮等の応力が集中し、その応力に対応するため格点部に鉄筋、鋼材等の補強材が集中して配置される。図３に従来のトラス構造の格点部補強構造を示す。トラス構造の格点部１１は、２本のＰＣパイルからなる斜材１２、１３と上弦材又は下弦材１４との継手空間１５に形成される。格点部１１を形成する継手空間１５内には、上弦材又は下弦材１４の補強鉄筋１６と格点部補強鉄筋１７が配筋され、さらに、ＰＣパイルからなる斜材１２、１３の端部からＰＣ鋼材１８を突出させ、継手空間１５内にコンクリート１９を充填し、コンクリート１９の固化後、ＰＣ鋼材１８の先端に設置した支圧板２０を介してＰＣ鋼材１８に引張力を付与する格点部補強構造が実施されている。
【０００３】
【特許文献１】
特開平１１−１８１８８０号公報
【非特許文献１】
Ｉｎｔｅｒｎａｔｉｏｎａｌ  Ｓｙｍｐｏｓｉｕｍ  ｏｎ  Ｃｏｎｎｅｃｔｉｏｎ  ｂｅｔｗｅｅｎ  Ｓｔｅｅｌ  ａｎｄ  Ｃｏｎｃｒｅｔｅ，Ｓｅｐｔ１０−１２  ２００１  Ｓｔｕｔｔｇｕｒｔ  Ｇｅｒｍａｎｙ，ｐｐ１２５０−１２５９，「ＥＸＰＥＲＩＭＥＮＴＡＬ  ＳＴＵＤＹ  ＯＮ  Ａ  ＮＥＷＪＯＩＮＴ  ＦＯＲ  ＰＲＥＳＴＲＥＳＳＥＤ  ＣＯＮＣＲＥＴＥ  ＣＯＭＰＯＳＩＴＥ  ＢＲＩＤＧＥ  ＷＩＴＨ  ＳＴＥＥＬ  ＴＲＵＳＳ  ＷＥＢ」
【０００４】
【発明が解決しようとする課題】
図３に示されるように、トラス構造又はアーチ構造の格点部には、応力の集中に対応するため補強部材が集中して配置され、格点部での鉄筋等の補強材の組み立て作業が困難となり施工性に問題が生じ、また、格点部に補強材が集中することにより格点部にコンクリートを充填する際、コンクリートの行き渡りが悪くなり耐久性が低下するという問題も発生する。また、鉄筋等の補強材とコンクリートとの定着性を向上させるために、補強材の長さを長くしなければならず、打設するコンクリート量も増加することから、トラス構造又はアーチ構造により構築される構造物の重量増加、施工コストの上昇という問題も発生する。
【０００５】
本発明は、補強材の集中をなくし、施工性がよく、施工コストが安く、構造物の軽量化ができ、且つ充分な耐久性を有するトラス構造又はアーチ構造の格点部補強構造を提供することを目的とする。
【０００６】
【課題を解決するための手段】
本第１発明は、上記課題を解決するために、格点部補強構造において、トラス構造又はアーチ構造の格点部を形成する継手空間部内に複数の構造部材端面から補強部材を突出させ、前記継手空間内に繊維補強コンクリートを充填することを特徴とする。
【０００７】
本第２発明は、本第１発明の格点部補強構造において、前記複数の構造部材が、現場打ちコンクリート、ＰＣパイル、角形鋼管、円形鋼管、形鋼の中から選択される１つ或いは複数の組合せからなることを特徴とする。
【０００８】
本第３発明は、本第１又は第２発明の格点部補強構造において、前記繊維補強コンクリート中の繊維は、鋼繊維等の金属繊維、ビニロン繊維、ポリプロピレン繊維、ポリエチレン繊維、アラミド繊維、炭素繊維等の有機繊維のなかから選択される１つまたは複数の繊維の組合せからなることを特徴とする。
【０００９】
【作用】
本発明の、トラス構造の格点部又はアーチ構造の格点部を形成する継手空間部内に、繊維補強コンクリートを充填する構成により、繊維補強コンクリート自体が曲げ、せん断、引張り、圧縮等の応力に対して大きな強度を有するため格点部の継手空間部内への鉄筋、鋼材等の補強部材の使用量が低減でき、さらに、繊維補強コンクリートを用いることにより継手空間部内での充填コンクリートと鉄筋、鋼材等の補強部材との定着性が向上するため補強部材の使用量を一層低減できるので、配筋作業等の困難性が軽減され、施工性が向上し、構造物の軽量化及びコストの低減化を図ることがで、且つ強度の大きい耐久性のある格点部補強構造とすることができる。
【００１０】
【発明の実施形態】
本発明の実施形態を図により説明する。図１は、本発明をトラス構造の格点部に適用した一例を示すものである。１は現場打ちコンクリートで構築される上弦材又は下弦材、２は斜材としてのＰＣパイル、３はトラス構造の格点部である。トラス構造の格点部３を構成する継手空間部４には、上弦材又は下弦材１の補強鉄筋５及び斜材としてのＰＣパイル２の端部から突出するＰＣパイルの補強鉄筋６が突設されており、トラス構造の格点部３を構成する継手空間部４に型枠（図示せず）を設置し、鋼繊維または有機繊維あるいはそれらの組合せからなる繊維を混入した繊維補強コンクリート７打設し、養生固化させてトラス構造の格点部３を構築する。上下弦材１の部分は通常コンクリートが現場打ちにより打設される。また、上弦材又は下弦材１をＰＣパイル、鋼管、形鋼等のプレキャスト部材にしても良い。
継手空間部４内に充填される繊維補強コンクリート７は、繊維補強コンクリート７自体が曲げ、せん断、引張り、圧縮等の応力に対して大きな強度を有するため格点部３の継手空間部４内に配筋される補強鉄筋５，６の使用量が低減でき、さらに、繊維補強コンクリート７を用いることにより継手空間部４内での充填コンクリートと鉄筋、鋼材等の補強部材との定着性が向上するため補強部材の使用量を一層低減できるので、配筋作業等の困難性が軽減され、施工性が向上し、構造物の軽量化及びコストの低減化を図ることができ、且つ強度の大きい耐久性のある格点部補強構造とすることができる。
【００１１】
図２は、斜材として鋼管８を用いた実施形態を示す。１は現場打ちコンクリートで構築される上弦材又は下弦材、８は斜材としての鋼管、３はトラス構造の格点部である。トラス構造の格点部３を構成する継手空間部４には、上弦材又は下弦材１の補強鉄筋５及び斜材としての鋼管８の内部にダイアフラム９を設置し、ダイアフラム９に一端が溶接された補強鉄筋１０が突設されており、トラス構造の格点部３を構成する継手空間部４に型枠（図示せず）を設置し、継手空間４及び斜材としてのダイアフラム９までの鋼管８内に鋼繊維または有機繊維あるいはそれらの組合せからなる繊維を混入した繊維補強コンクリート７打設し、養生固化させてトラス構造の格点部３を構築する。継手空間部４及び斜材としての鋼管８内に充填される繊維補強コンクリート７は、繊維補強コンクリート７自体が曲げ、せん断、引張り、圧縮等の応力に対して大きな強度を有するため格点部３の継手空間部４内に配筋される補強鉄筋５、１０の使用量が低減でき、さらに、繊維補強コンクリート７を用いることにより継手空間部４及び斜材としての鋼管８内での充填コンクリートと鉄筋、鋼材等の補強部材との定着性が向上するため補強部材の使用量を一層低減できるので、配筋作業等の困難性が軽減され、施工性が向上し、構造物の軽量化及びコストの低減化を図ることができ、且つ強度の大きい耐久性のある格点部補強構造とすることができる。
【００１２】
繊維補強コンクリートに混入される繊維としては、鋼繊維等の金属繊維、ビニロン繊維、ポリプロピレン繊維、ポリエチレン繊維、アラミド繊維、炭素繊維等の有機繊維のなかから選択される１つまたは複数の繊維の組合せを用いる。
【００１３】
上記実施形態では、トラス構造の格点部を構成する構造部材として２本の斜材を用いた例を示したが、構造部材として斜材と鉛直材の組合せであってもよい。また、この実施形態ではトラス構造の格点部３の補強構造について説明したが、本発明は、アーチ構造の格点部に適用可能である。また、構造部材とし上下弦材１を現場打ちコンクリート、斜材をＰＣパイル２、鋼管８を用いた例を示しているが、本発明は、これらに限定されるものではなく、構造部材としては、上記の他に形鋼、樹脂製部材等でもよく、これらの組合せであってもよい。また、補強材として補強鉄筋を用いた例を示しているがこれらに限定されるものではなく、鋼材、ＰＣ鋼材等の他の補強材でもよく、それらの組合せであってもよい。
【００１４】
【発明の効果】
本発明の、トラス構造の格点部、アーチ構造の格点部に、繊維補強コンクリートを用いるという構成により、繊維補強コンクリート自体が曲げ、せん断、引張り、圧縮等の応力に対して大きな強度を有するため、接合部への鉄筋、鋼材等の補強材の使用量を低減し、さらに、繊維補強コンクリートを用いることにより、鉄筋、鋼材等の補強材との定着性が向上させ補強材の使用量を一層低減できるので、接合部での配筋作業等の困難性が軽減され施工性が向上し、鋼材の使用量も少なくて済むのでコストの低減化を図ることがで、且つ強度の大きい耐久性の高い構造部材の接合部補強構造となる。
【図面の簡単な説明】
【図１】本発明の一実施形態をしめす図
【図２】本発明の別の実施形態を示す図
【図３】従来技術を示す図
【符号の説明】
１：上弦材又は下弦材
２：斜材としてのＰＣパイル
３：トラス構造の格点部
４：継手空間
５：上下弦材の補強鉄筋
６：ＰＣパイルの補強鉄筋
７：繊維補強コンクリート
８：斜材としての鋼管
９：ダイアフラム
１０：鋼管の補強鉄筋
１１：トラス構造の格点部
１２、１３：斜材としてのＰＣパイル
１４：上弦材又は下弦材
１５：継手空間
１６：上弦材又は下弦材の補強鉄筋
１７：格点部補強鉄筋
１８：ＰＣ鋼材
１９：コンクリート
２０：支圧板
【図１】
2004244989.tif 000003
【図２】
2004244989.tif 000004
【図３】
2004244989.tif 000005